(57)【要約】【課題】低コストで光路変換構造を構築でき、設計の自由度が上がり、且つ装置の低背化を実現可能な光路変換構造とその製造方法及びこれを適用した光送受信装置の提供。【解決手段】光受発光素子と、該光受発光素子に接触しその光受発光部を覆う透明成形体からなり、前記光受発光素子の光路変換機能を有する光路変換部材とを有することを特徴とする光路変換構造。基板に光受発光素子を実装し、次いで該光受発光素子を透明樹脂で封止し、該光受発光素子の光受発光部近傍に、この透明樹脂からなり、前記基板に対し、垂直な面と、傾斜した面の両方を形成して光路変換機能を有する光路変換部材を形成し、本発明の光路変換構造を製造することを特徴とする光路変換構造の製造方法。【選択図】図４
2009198946.tif 000002
【特許請求の範囲】
【請求項１】
光受発光素子と、該光受発光素子に接触しその光受発光部を覆う透明成形体からなり、前記光受発光素子の光路変換機能を有する光路変換部材とを有することを特徴とする光路変換構造。
【請求項２】
前記光路変換部材が、樹脂からなることを特徴とする請求項１に記載の光路変換構造。
【請求項３】
前記光路変換部材が、光受発光素子を実装した基板に対し、垂直な面と、傾斜した面の両方を有することを特徴とする請求項１又は２に記載の光路変換構造。
【請求項４】
基板に光受発光素子を実装し、次いで該光受発光素子を透明樹脂で封止し、該光受発光素子の光受発光部近傍に、この透明樹脂からなり、前記基板に対し、垂直な面と、傾斜した面の両方を形成して光路変換機能を有する光路変換部材を形成し、請求項１〜３のいずれかに記載の光路変換構造を製造することを特徴とする光路変換構造の製造方法。
【請求項５】
光受発光素子を透明樹脂で封止した後、光受発光素子の光受発光部近傍の透明樹脂にダイシングブレード加工又はレーザ加工を施して、光路変換部材を形成することを特徴とする請求項４に記載の光路変換構造の製造方法。
【請求項６】
基板に実装した光受発光素子を成形型で包囲し、該成形型に透明樹脂を充填し硬化させた後、該成形型を離型するモールディング法によって光路変換部材を形成することを特徴とする請求項４に記載の光路変換構造の製造方法。
【請求項７】
基板上に、請求項１〜３のいずれかに記載の光路変換構造と、該光路変換構造に光学的に結合された光伝送路とを有することを特徴とする光送受信装置。
【発明の詳細な説明】
【技術分野】
【０００１】
本発明は、機器内や機器間といった比較的短い距離を、光通信によって情報伝送するための発光素子、受光素子及び光伝送路などを備えた光送受信装置などに用いられる光路変換構造とその製造方法に関し、特に、低コストで光路変換構造を構築でき、設計の自由度が上がり、且つ装置の低背化を実現可能な光路変換構造とその製造方法及びこれを適用した光送受信装置に関する。このような短距離の光通信は、将来的に、サーバー・ルーターなど高速データ転送装置、自動車内の映像伝送、携帯電話、業務用複写機、次世代ゲーム機といった分野に適用される。
【背景技術】
【０００２】
従来、光通信においては、光源に端面光出射型のレーザーダイオードが使われてきた。しかし、消費電力が大きいこと、歩留まりが低く価格が高い事から、機器内や機器間の光通信に対しては、近年、表面発光型のレーザーダイオード（Vertical Cavity Surface Emitting Laser、以下、ＶＣＳＥＬと記す。）の適用が盛んに研究されている。ＶＣＳＥＬは、素子表面から略円形形のビームを放射すること、低閾値でレーザー発振可能なこと、構造的に歩留まりを上げやすく安価、という特徴がある。  
【０００３】
ＶＣＳＥＬや、従来から有る表面受光型のフォトダイオード（以下、ＰＤと記す。）を用いて光送受信部を作製する場合、基板に対し垂直に出入射する光を、何らかの手法で水平或いはそれに類した方向へ光路変換して光ファイバなどの光伝送路と結合することが一般的に行われている。なぜなら、基板に垂直な光軸に対して光ファイバやレンズ、高分子導波路などを直接結合すると、それら光伝送路の取り回しで占有される空間が基板垂直方向に大きくなり、限られた大きさの機器内で、複数の基板を高密度に実装することが難しくなるからである。
【０００４】
このため、光路を変換するため、従来より様々な方法が提案されてきた（例えば、特許文献１〜３参照。）。
【特許文献１】米国特許第６０８１６３８号明細書
【特許文献２】特開平１０−３００９６１号公報
【特許文献３】特開２００３−１７２８３６号公報
【発明の開示】
【発明が解決しようとする課題】
【０００５】
しかしながら、前述した従来技術には、次のような問題がある。
特許文献１には、図１に示すように、支持基材３にサブマウント４を介して発光素子１を実装し、光ファイバ２の端面を斜面形状に加工して支持基材３に固定して構成され、光ファイバ２の先端面か半透明反射面で発光素子１からの出射光を反射させ、光路変換を行う構造が開示されている。しかし、この従来技術は、光ファイバ端面の斜め研磨が必要でコスト高になる問題がある。また、斜め形状になると光ファイバの回転対称性が失われ、光の結合には回転軸の精密調整が必要となり、コスト増の要因となる。
【０００６】
特許文献２には、図２に示すように、基板５上に設けられた光導波路の光軸に対して、所望の角度（例えば４５度）を持つダイシングブレード１１により、Ｖ溝１０を設け、光導波路の上部クラッド７、コア６及び下部クラッド８が露出した傾斜端面９を形成する技術が開示されている。しかし、この従来技術は、所望の導波路光軸ばかりでなく、その周囲の基体にも同様のＶ溝がつくことは避けられない。よって、本来光路変換の必要がない箇所でも斜面が形成されてしまうので、自由度が少ないという問題がある。
【０００７】
特許文献３には、図３に示すように、回路基板１５の下面側に、下部クラッド１２とコア１３と上部クラッド１４とからなる光導波路が設けられ、上面側に受発光素子１７が実装され、光導波路の端面に別途樹脂ブロック１６を形成し、ＶＣＳＥＬ出射光１８を樹脂ブロック１６と空気の界面で反射させて光導波路のコア１３に導く構造が開示されている。しかし、この従来技術は、基板とＶＣＳＥＬ、導波路の総高さを低減する観点では、特に記述されていない。一般的な素子、基板で構成すると、その総高さは１ｍｍ以上になると思われる。
【０００８】
本発明は、前記事情に鑑みてなされ、低コストで光路変換構造を構築でき、設計の自由度が上がり、且つ装置の低背化を実現可能な光路変換構造とその製造方法及びこれを適用した光送受信装置の提供を目的とする。
【課題を解決するための手段】
【０００９】
前記目的を達成するため、本発明は、光受発光素子と、該光受発光素子に接触しその光受発光部を覆う透明成形体からなり、前記光受発光素子の光路変換機能を有する光路変換部材とを有することを特徴とする光路変換構造を提供する。
【００１０】
本発明の光路変換構造において、前記光路変換部材が、樹脂からなることが好ましい。
【００１１】
本発明の光路変換構造において、前記光路変換部材が、光受発光素子を実装した基板に対し、垂直な面と、傾斜した面の両方を有することが好ましい。
【００１２】
また本発明は、基板に光受発光素子を実装し、次いで該光受発光素子を透明樹脂で封止し、該光受発光素子の光受発光部近傍に、この透明樹脂からなり、前記基板に対し、垂直な面と、傾斜した面の両方を形成して光路変換機能を有する光路変換部材を形成し、前述した本発明に係る光路変換構造を製造することを特徴とする光路変換構造の製造方法を提供する。
【００１３】
本発明の光路変換構造の製造方法において、光受発光素子を透明樹脂で封止した後、光受発光素子の光受発光部近傍の透明樹脂にダイシングブレード加工又はレーザ加工を施して、光路変換部材を形成することが好ましい。
【００１４】
本発明の光路変換構造の製造方法において、基板に実装した光受発光素子を成形型で包囲し、該成形型に透明樹脂を充填し硬化させた後、該成形型を離型するモールディング法によって光路変換部材を形成することもできる。
【００１５】
また本発明は、基板上に、前述した本発明に係る光路変換構造と、該光路変換構造に光学的に結合された光伝送路とを有することを特徴とする光送受信装置を提供する。
【発明の効果】
【００１６】
本発明の光路変換構造は、光受発光素子と、該光受発光素子に接触しその光受発光部を覆う透明成形体からなり、前記光受発光素子の光路変換機能を有する光路変換部材とで構成したものなので、光受発光素子と光路変換部材の間に空間を設ける必要が無く、総高さを低減できる。また、光出射部或いは入射部に近接することで、拡散する光の集光効率を上げられるとともに、光受発光素子を外部環境から守り、信頼性を向上させることができる。
【００１７】
本発明の光路変換構造の製造方法は、前述した通り高性能な光路変換構造を低コストで歩留まりよく製造することができる。
【００１８】
本発明の光送受信装置は、前述した通り高性能な光路変換構造を有するものなので、小型化でき、信頼性も高い光送受信装置を低コストで提供することができる。
【発明を実施するための最良の形態】
【００１９】
本発明の光路変換構造は、光受発光素子と、該光受発光素子に接触しその光受発光部を覆う透明成形体からなり、前記光受発光素子の光路変換機能を有する光路変換部材とを有することを特徴としている。
【００２０】
光路変換部材の材料は、従来からある透明樹脂を用いることができる。ポリイミド、ポリシロキサン、ポリシラン、エポキシ、アクリル、フッ素樹脂、などが好適に用いられるが、これらに限定されない。
【００２１】
光路変換部材は、基板に対し垂直な面と傾斜した面を有する。このうち、傾斜した面が基板に対して垂直方向の光軸を変換し、垂直な面に接合された光導波路や光ファイバ、レンズへの光軸と一致させる。
【００２２】
本発明の光路変換構造は、光受発光素子に接触し、且つ覆っている光路変換部材から構成される。すなわち光受発光素子と光路変換部材の間に空間を設ける必要が無く、総高さを低減できる。また、光出射部或いは入射部に近接することで、拡散する光の集光効率を上げられるとともに、光受発光素子を外部環境から守り、信頼性を向上させることができる。
【００２３】
本発明の光路変換部材は、例えば、以下の工程を経て製造できる。
１．光受発光素子を基板上の所望の位置に実装する。
ここでの実装とは、アノード、カソードの配線を行い、受発光できる状態にすることを意味している。
２．光受発光素子を、透明樹脂で封止する。
液状の樹脂をインクジェット、ディスペンサ、スクリーン印刷、モールドなど、公知の方法により光受発光素子に塗布し、封止構造を形成する。
３．封止樹脂に対し、傾斜面加工および垂直面加工を行う。
光受発光素子を画像認識で位置を把握し、それに対し光路変換ができる箇所に斜面を形成しても良い。２の封止構造の形成と同時に行っても良い。斜面を形成する方向も特に限定されない。加工方法としては、ダイシングブレード加工、レーザー加工などを用いることができる。
【実施例１】
【００２４】
図４を参照しながら、本実施例の構成を説明する。図４は、本発明の光路変換構造の実施例１を示す図である。この図中、符号１９は基板、２０は光受発光素子の一例である面発光レーザ、２１は光伝送路の一例である光ファイバ、２２はコア、２３はクラッド、２４は透明樹脂（光路変換部材）、２５ａは傾斜ミラー部、２５ｂは光取り出し面である。
【００２５】
本実施例の光路変換構造は、回路基板１９に面発光レーザ２０が実装されており、面発光レーザ２０は透明樹脂２４によって覆われている。透明樹脂２４には、後加工により基板に対し４５°傾斜したミラー面２５ａと、基板に対し垂直な光取り出し面２５ｂが形成され、これによって光路変換部材が形成されている。面発光レーザ２０を発光させると、出射光は基板１９に垂直方向に進んだ後、ミラー面２５ａで９０°光路を変換し、基板１９に水平な方向へ進む。光取り出し面２５ｂに光ファイバ２１を調芯して近づけると、コア２２に光を結合させることができる。透明樹脂２４にミラー面２５ａを形成するので、光路変換に要する距離を大きく低減することが可能で、基板・面発光レーザ・ミラーが占有する総厚を小さくすることができる。面発光レーザ２０を覆った透明樹脂２４には、外界の水分や酸素から素子を遮断する働きを持たせることが可能である。
【００２６】
図５を参照しながら、この光路変換部材の製法を説明する。
最初に、（ａ）公知の方法により基板に面発光レーザ２０を実装し、アノード、カソードを接続し発光可能な状態にした。
（ｂ）次に、その上に、ディスペンサ２６によりエポキシ系のＵＶ硬化樹脂を塗布し、樹脂をＵＶランプ２７で硬化させた。
（ｃ）次に、それから、側面よりＣＣＤカメラにより面発光レーザ２０の外形位置を把握しながら、ダイシングブレート２８で所定の位置に傾斜ミラー面２５ａと光取り出し面２５ｂを形成した。
【００２７】
このように形成した光取り出し面２５ｂに、コア５０μｍのＧＩ型マルチモード光ファイバ２１を近づけて、光パワーをモニタしながら調芯したところ、８０％以上の光結合効率で光を取り出すことができた。この時、面発光レーザ２０下から光ファイバ上面までの総高さは、４００μｍであった。
【実施例２】
【００２８】
図６を参照にしながら、本発明の光路変換部材の実施例２を説明する。
最初に、（ａ）公知の方法により基板にフォトダイオード２９を実装し、アノード、カソードを接続し受光可能な状態にした。
（ｂ）次に、その上に、予め曲率を有したミラー面と光入射面を設計した、石英ガラス製の型枠３０を押し付ける。
（ｃ）次に、前記型枠３０の材料注入孔からＵＶ樹脂を充填し、ＵＶランプ２７で硬化させた。
（ｄ）次に、樹脂が硬化したら、型枠３０をはずし、傾斜ミラー面２５ａと光入射面２５ｃが形成された光路変換部材ができあがる。
【００２９】
このように形成した光入射面２５ｃに、コア５０μｍのＧＩ型マルチモード光ファイバ２１を近づけて、フォトダイオード２９の光起電力をモニタしながら調芯したところ、８０％以上の光結合効率で光を取り出すことができた。この時、フォトダイオード２９下面から光ファイバ上面までの総高さは、４２０μｍであった。
【図面の簡単な説明】
【００３０】
【図１】従来の光路変換構造の第１例を示す概略側面図である。
【図２】従来の光路変換構造の第２例を示す要部断面図である。
【図３】従来の光路変換構造の第３例を示す概略側面図である。
【図４】本発明に係る光路変換構造の実施例１を示す要部断面図である。
【図５】実施例１の光路変換構造の製造工程を順に示す要部断面図である。
【図６】本発明に係る実施例２の光路変換構造の製造工程を順に示す要部断面図である。
【符号の説明】
【００３１】
１９…基板、２０…面発光レーザ（光受発光素子）、２１…光ファイバ（光伝送路）、２２…コア、２３…クラッド、２４…透明樹脂（光路変換部材）、２５ａ…傾斜ミラー部、２５ｂ…光取り出し面、２５ｃ…光入射面、２６…ディスペンサ、２７…ＵＶランプ、２８…ダイシングブレード、２９…フォトダイオード、３０…型枠。
【図１】
2009198946.tif 000003
【図２】
2009198946.tif 000004
【図３】
2009198946.tif 000005
【図４】
2009198946.tif 000006
【図５】
2009198946.tif 000007
【図６】
2009198946.tif 000008